(57)【特許請求の範囲】
【請求項１】
入口を備えた半ドーナッツ状の凹壁部を有するボトムカップと、出口を備え該ボトムカップに接近する方向へ屈曲可能な可撓性カップと、からなる液体圧縮部と、可撓性カップに装着されたノズル部と、ボトムカップと可撓性カップとが装着され容器に接続可能なベース部と、該ベース部に薄肉部を介して回動自在に延設され可撓性カップの往復変形運動を行うためのトリガ部とを備えるポンプディスペンサであって、
前記可撓性カップは中空の基部とスカート部とを備え、
前記トリガ部は、可撓性カップのスカート部側へ突出するキック部材を備え、トリガ部を回動する際、該キック部材でスカート部を押圧することにより、スカート部とベース部との間の空間を通じて外気と容器内とを連通させ、容器内の負圧を調整できるようにしたことを特徴とするポンプディスペンサ。
【請求項２】
ボトムカップの入口と可撓性カップの出口にそれぞれ、バルブが設けられていることを特徴とする、請求項１記載のポンプディスペンサ。
【請求項３】
前記ボトムカップは半ドーナッツ状の凹壁部から外下方に延びる下延部を備え、該下延部と前記可撓性カップのスカート部が重合されてベース部に装着されていることを特徴とする請求項１記載のポンプディスペンサ。
【請求項４】
ボトムカップは、その周囲に切離可能な薄肉部を介してリング部を備え、このリング部はボトムカップのベース部に対する組み付けの際、ボトムカップから分離されてベース部に装着されるものであることを特徴とする請求項３記載のポンプディスペンサ。
【請求項５】
可撓性カップのスカート部は、ボトムカップのリング部と下延部との間に装着されていることを特徴とする請求項４記載のポンプディスペンサ。
【請求項６】
入口を備えた半ドーナッツ状の凹壁部を有するボトムカップと出口を備え該ボトムカップに近接する方向へ屈曲可能な可撓性カップとからなる液体圧縮部と、可撓性カップに装着されたノズル部と、ボトムカップと可撓性カップとが装着され容器に接続可能なベース部と、該ベース部に薄肉部を介して回動自在に延設され可撓性カップの往復変形運動を行うためのトリガ部とを備え、可撓性カップは中空の基部とスカート部とを備え、ボトムカップは半ドーナッツ状の凹壁部から外下方に延びる下延部を備え、スカート部と下延部が重合されてベース部に装着され、ボトムカップの入口と可撓性カップの出口にそれぞれ、バルブが設けられ、前記トリガ部は、可撓性カップのスカート部側へ突出するキック部材を備え、トリガ部を回動する際、該キック部材でスカート部を押圧することにより、スカート部とベース部との間の空間を通じて外気と容器内とを連通させ、容器内の負圧を調整するようにしたことを特徴とするポンプディスペンサ。
【発明の詳細な説明】
【０００１】
【発明の属する技術分野】
本発明は、各種液体等を吐出するのに好適なポンプディスペンサに関する。
【０００２】
【従来の技術】
従来のこの種のポンプディスペンサは、液体容器に取り付けられ、その容器から吸い上げたシリンダ内の液体をトリガの移動力によってピストンを介して圧縮し、ノズルから噴出させるようになっている。
【０００３】
【発明が解決しようとする課題】
しかしながら、この形式のポンプディスペンサでは、ピストンはシリンダに対して液密性を保ちながら直線運動をする必要がある。
両者間で円滑なピストン運動を行なわせるためには摺動部分の機械的精度を十分確保しなければならず、成形加工に手間がかからざるを得ない。
また、摺動部分を持つため実使用において、その耐久性等が問題となり、つまりピストン等が磨損すると適正機能が保証されなくなる。
そのため、ポンプディスペンサを使用するうちに磨耗や液漏れが生じ、ノズルからの噴射力に弱まることがある。
【０００４】
本発明はかかる実状に鑑み、構造が簡単で優れた性能の液体吐出機能を有するポンプディスペンサを提供することを目的とする。
【０００５】
【課題を解決するための手段】
かくして、本発明者は、このような課題背景に対して鋭意研究を重ねた結果、噴射力を得るため液体を圧縮する部分において、摺動部分を持たない新規な構成により上記の諸問題点を解決することができることを見出し、この知見に基づいて本発明を完成させたものである。
【０００７】
すなわち、本発明は、（１）、入口を備えた半ドーナッツ状の凹壁部を有するボトムカップと、出口を備え該ボトムカップに近接する方向へ屈曲可能な可撓性カップと、からなる液体圧縮部と、可撓性カップに装着されたノズル部と、ボトムカップと可撓性カップとが装着され容器に接続可能なベース部と、該ベース部に薄肉部を介して回動自在に延設され可撓性カップの往復変形運動を行うためのトリガ部とを備えるポンプディスペンサであって、前記可撓性カップは中空の基部とスカート部とを備え、前記トリガ部は、可撓性カップのスカート部側へ突出するキック部材を備え、トリガ部を回動する際、該キック部材でスカート部を押圧することにより、スカート部とベース部との間の空間を通じて外気と容器内とを連通させ、容器内の負圧を調整できるようにしたポンプディスペンサに存する。
【０００８】
そしてまた、（２）、ボトムカップの入口と可撓性カップの出口にそれぞれ、バルブが設けられているポンプディスペンサに存する。
【０００９】
そしてまた、（３）、前記ボトムカップは半ドーナッツ状の凹壁部から外下方に延びる下延部を備え、該下延部と前記可撓性カップのスカート部が重合されてベース部に装着されているポンプディスペンサに存する。
【００１１】
そしてまた、（４）、ボトムカップは、その周囲に切離可能な薄肉部を介してリング部を備え、このリング部はボトムカップのベース部に対する組み付けの際、ボトムカップから分離されてベース部に装着されるものであるポンプディスペンサに存する。
【００１２】
そしてまた、（５）、可撓性カップのスカート部は、ボトムカップのリング部と下延部との間に装着されているポンプディスペンサに存する。
【００１３】
そしてまた、（６）、入口を備えた半ドーナッツ状の凹壁部を有するボトムカップと、出口を備え該ボトムカップに接近する方向へ屈曲可能な可撓性カップとからなる液体圧縮部と、可撓性カップに装着されたノズル部と、ボトムカップと可撓性カップとが装着され容器に接続可能なベース部と、該ベース部に薄肉部を介して回動自在に延設され可撓性カップの往復変形運動を行うためのトリガ部とを備え、可撓性カップは中空の基部とスカート部とを備え、ボトムカップは半ドーナッツ状の凹壁部から外下方に延びる下延部を備え、スカート部と下延部が重合されてベース部に装着され、ボトムカップの入口と可撓性カップの出口にそれぞれ、バルブが設けられ、前記トリガ部は、可撓性カップのスカート部側へ突出するキック部材を備え、トリガ部を回動する際、該キック部材でスカート部を押圧することにより、スカート部とベース部との間の空間を通じて外気と容器内とを連通させ、容器内の負圧を調整するようにしたポンプディスペンサに存する。
【００１４】
本発明によれば、その典型的態様においてボトムカップ１１と可撓性カップ１２とを備えた液体圧縮部１と、可撓性カップ１２に装着されたノズル部２と、ボトムカップ１１と可撓性カップ１２とが装着され容器に接続可能なベース部３と、該ベース部３に薄肉部３ａを介して回動自在に延設され可撓性カップ１２の往復変形運動を行なうためのトリガ部４とを備える。
【００１５】
特に液体圧縮部ではボトムカップ１１と可撓性カップ１２とで形成される空間１３の液体を可撓性カップ１１の変形により圧縮して、その出口より液体を吐出する。
この場合、ボトムカップ１１は半ドーナッツ状の凹壁部を有し、可撓性カップ１２を変形させてボトムカップ１２の凹壁部１４に接近させることにより（究極には略接触する位置まで変形させる）、両者間に形成された空間１３にある液体を可撓性カップ１２の出口から吐出する。
このように摺動部分を持たないため耐久性に優れ、円滑かつ適正作動を保証することができる。
【００１６】
【発明の実施の形態】
以下、図面に基づき、本発明によるポンプディスペンサの好適な実施の形態を説明する。
図１は、この実施形態におけるポンプディスペンサを示している。
このポンプディスペンサは、キャップを介して液体容器１００に取り付け、液体容器１００内の液体を外部に吐出させるようになっている。
【００１７】
このポンプディスペンサは、ボトムカップ１１と該ボトムカップ１１に近接する方向へ屈曲可能な可撓性カップ１２からなる液体圧縮部１と、可撓性カップ１２に装着されたノズル部２と、ボトムカップ１１と可撓性カップ１２とが装着され容器１００に接続可能なベース部３と、ベース部３に薄肉部３ａを介して回動自在に延設され可撓性カップ１２の往復変形運動を行なうためのトリガ部４とを備える。
【００１８】
ボトムカップ１１は、その中心部に液体が流入する入口１１ａを有し、この入口１１ａには、バルブ１５（逆止弁）が装着されている。
また、可撓性カップ１２は、その中心部に液体が吐出する出口１２ａを有し、この出口１２ａにも、バルブ１６（逆止弁）が装着されている。
ボトムカップ１１および可撓性カップ１２で形成される空間１３に充填された液体は可撓性カップ１２の変形により圧縮され、出口１２ａより吐出するようになっている。
【００１９】
ボトムカップ１１は、可撓性カップ１２を受け入れるための土台となる部分であり、所定の剛性強度を持ち、図２に示されるように半ドーナッツ状の凹壁部１４を有する。
可撓性カップ１２は復帰性のある材料、例えばエラストマー、ゴム材等の弾性材料により形成され、ボトムカップ１１の凹壁部１４に接合するように変形可能である。
【００２０】
ボトムカップ１１と可撓性カップ１２は液密的に結合しており、可撓性カップ１２を変形させてボトムカップ１１に接近させ、最終的にボトムカップ１２の凹壁部１４に接合（接触に近い状態）することにより、両者間に形成された空間１３に存在する液体を可撓性カップ１２の出口１２ａから吐出する。
可撓性カップ１２はその変形後、自身の弾性により図示した自然状態に復帰することができる。
【００２１】
ボトムカップ１１の入口１１ａおよび可撓性カップ１２の出口１２ａに装着されたバルブ１５およびバルブ１６は、可撓性カップ１２の動きに応じて、空間１３に対する液体の出入を規制する。
【００２２】
また、ポンプディスペンサにおいて、可撓性カップ１２の出口１２ａに設けられるノズル部２にはノズル１７が装着される。
ノズル１７にはカバー１８が被着しており、このカバー１８は図１のように手指等で開閉することができる。
トリガ部４は具体的にトリガ１９を有するが、そのトリガ１９は可撓性カップ１２に外挿され、その一部で可撓性カップ１２の基部２１の図示しない突起を支持することで、可撓性カップ１２に往復変形運動を行なわせる。
【００２３】
可撓性カップ１２は中空の基部２１とこれより拡大して形成されるスカート部２２とを備え、先述したように、この基部内にバルブ１６が装着されている。
ボトムカップ１１は半ドーナッツ状の凹壁部１４から外下方に延びる下延部２３を備える。
そして、ボトムカップ１１の下延部２３が可撓性カップのスカート部２２の外面に添着されてベース部３に装着される。
【００２４】
また、ボトムカップ１１は図３に示すように、切離可能な薄肉部を介してリング部２４を備えている。
すなわち、ボトムカップ１１の下延部の下端周囲に切離可能な薄肉部を介してタブ２５が数カ所（ここでは３カ所）に形成され、これによりリング部２４は切離可能に連結されている。
【００２５】
このリング部２４はボトムカップ１１のベース部３に対する組付け後、ボトムカップ１１から分離されてベース部３に装着され、シール機能を発揮するものである。
そして、可撓性カップ１２のスカート部２２は、ボトムカップ１１のリング部２４と下延部２３との間に装着される。
【００２６】
ここで、ボトムカップ１１および可撓性カップ１２をベース部３に組付装着する場合を説明する。
ボトムカップ１１は、先述したように、リング部２４が一体化するかたちで形成される。
この場合、ボトムカップ１１とリング部２４とは、３つのタブ２５を介してピンポイント接合されている。
このタブ２５は前述したように、ボトムカップ１１の下延部２３と切離可能な薄肉部を構成しており、引張り力を受けることにより、ボトムカップ１１から容易に破断される。
【００２７】
図４は、ボトムカップ１１と可撓性カップ１２を結合する際の工程を順に示している。
図４（Ａ）において、ボトムカップ１１と一体化しているリング部２４をベース部３の内側に挿入する。
図４（Ｂ）において、可撓性カップ１２のスカート部２２をボトムカップ１１の下延部２３外面に添わせて載せる。
図４（Ｃ）において、可撓性カップ１２を押入することで、リング部２４がベース部３の角部３２に当接しベース部３の内側に保持された状態となり、タブ２５は破断される。
そして、リング部２４の凸部２４Ａがベース部３の凹部３１に嵌まり込む。
図４（Ｄ）において、可撓性カップ１２を更に押入すると、ボトムカップ１１と可撓性カップ１２は図１に示されるように、それぞれの下延部２３とスカート部２２が揃うようにベース部３によって保持される。
【００２８】
さて、ポンプディスペンサーとしては容器内の流体を噴出すると容器内は負圧化して歪みが生ずる。
そのため、噴出時又は後に容器内を外気と連通させて調整することが必要となる。
本発明のポンプディスペンサーにおいては、特有の負圧調整機構を有する。
トリガ部４を回動する際、該トリガ部４の一部によって可撓性カップ１２のスカート部２２を押圧することにより、スカート部２２とベース部３との間の空間を通じて容器１００内の負圧を調整するように構成されている。
この例では、トリガ部４の内側の一部にスカート部２２側へ突出するキック部材２６を形成し、このキック部材２６がスカート部２２を押圧するようになっている。
【００２９】
上記構成において、図１の自然状態からトリガ部４（トリガ１９）を引くことで液体を吐出することができる。
この場合、図５（Ａ）、（Ｂ）のようにトリガ部４を引いていくと、このトリガ部４によって可撓性カップ１２が押されボトムカップ１１に接近するように変形する。
このとき可撓性カップ１２のスカート部２２はボトムカップ１１の凹壁部１４の形状に倣って変形する。
【００３０】
可撓性カップ１２の変形により空間１３内の液体は圧縮されると同時に、バルブ１６が開いてノズル１７から液体が吐出し始める（この時、バルブ１５は閉じている）。
トリガ部４は最終的に、図５（Ｂ）のように引かれるが、その間に可撓性カップ１２は変形してボトムカップ１１の凹壁部１４に接合する位置にまでくることにより、両者間に形成された空間１３に存在する液体は、全部、ノズル１７から吐出される。
【００３１】
上記のように可撓性カップ１２が変形していく途中で、トリガ部４に設けられているキック部材２６が、図６のようにスカート部２２を押圧する。
この押圧によりスカート部２２が僅かに歪み、これによりスカート部２２とベース部３との間の空間を通じて矢印で示すように、容器１００内へ外気が入り込んでその負圧を調整することができる。
このように負圧調整することにより、容器の歪みが生じなく、また流体圧縮部の円滑作動を保証する。
【００３２】
図５（Ｂ）のようにノズル１７から液体の吐出後、トリガ部４を解放することにより可撓性カップ１２はそれ自身の弾性により図１のように自然状態に復帰する。
この過程で空間１３が形成され負圧化するためにこの空間１３にバルブ１５を通して容器内に液体が吸い込まれる（この時、バルブ１６は閉じている）。
【００３３】
このように本実施形態ではトリガ部４の操作により可撓性カップ１２を変形させることで、空間１３内の液体を吐出させることができるのである。
その場合、上述のようにピストン等の摺動部品がないため極めて円滑かつ的確な動作が行なわれる。
【００３４】
また、本発明のポンプディスペンサは、液体圧縮部１とノズル部２とベース部３とトリガ部４を含み、主要な４つの部材により構成されるため極めて簡素な構造となっている。
また特に、これらのうちベース部３とトリガ部４とは合成樹脂材料により一体形成され、部品点数を効果的に削減することができる。
したがって、組立が簡単であるため製造が容易となり、製造および製品コストを大幅に減少することができる。
しかもこの場合、上述した通りポンプディスペンサとして優れた機能を発揮する。
【００３５】
なお、本発明は上記実施形態にのみ限定されるものでなく、本発明の範囲内で種々の変形等が可能である。
たとえば、ボトムカップ１１とリング部２４が一体化するかたちで形成される例を説明したが、これらの部材は最初から別体に形成されるようにしてもよい。
【００３６】
【発明の効果】
以上説明しように本発明によれば、この種のポンプディスペンサにおいてピストン等の摺動部分を持たない構造としたことにより、故障がなく耐久性に優れた装置を実現し、復帰力を有するためにバネ体が不要である。
さらに容器内の負圧調整機構を備えることにより円滑かつ適正作動を保証することができる。
また、構造が簡単なため製造工程を簡素化するとともに組立が容易で、実質的に低コスト化を図ることができる等の利点を有している。
【図面の簡単な説明】
【図１】図１は、本発明の実施形態におけるポンプディスペンサの全体構成例を示す図である。
【図２】図２は、本発明の実施形態におけるボトムカップおよび可撓性カップまわりを示す斜視図である。
【図３】図３は、本発明の実施形態におけるボトムカップ形成時の形態の例を示す斜視図である。
【図４】図４は、本発明の実施形態におけるボトムカップと可撓性カップを結合する際の工程を順に示す図である。
【図５】図５は、本発明の実施形態における液体吐出工程を順に示す図である。
【図６】図６は、本発明の実施形態における負圧調整機構の作用を説明する図である。
【符号の説明】
１…液体圧縮部
１１…ボトムカップ
１１ａ…入口
１２…可撓性カップ
１２ａ…出口
バル１３…空間
１４…凹壁部
１５，１６…バルブ
１７…ノズル
１８…カバー
１９…トリガ
２…ノズル部
２１…基部
２２…スカート部
２３…下延部
２４…リング部
２４Ａ…凸部
２５…タブ
２６…キック部材
３…ベース部
３ａ…薄肉部
３１…凹部
３２…角部
４…トリガ部
１００…液体容器
【図１】
0004588855.tif 000002
【図２】
0004588855.tif 000003
【図３】
0004588855.tif 000004
【図４】
0004588855.tif 000005
【図５】
0004588855.tif 000006
【図６】
0004588855.tif 000007